(57)【要約】【課題】  画面調整を精度よく行うことができるリアプロジェクタ装置及びマルチディスプレイシステムを提供する。【解決手段】  光センサー１７を、投射レンズ２とスクリーン４との間の光路上に挿脱可能に配置し、ＤＭＤ１５の全てのマイクロ反射ミラーをオン方向の反射となるように制御してスクリーン４上に全白（白１００％）の基準パターンを表示させた状態で、光センサー１７によりカラーホイル１２を透過して導入される赤（Ｒ）、緑（Ｇ）、白（Ｗ）、青（Ｂ）の各光の強度を検出する。【選択図】      図３
2009109962.tif 000002
【特許請求の範囲】
【請求項１】
光源と；
少なくとも赤（Ｒ）、緑（Ｇ）、青（Ｂ）の各色を有し、前記光源からの光が透過され、それぞれの色の光を順に出射する複数のフィルターと；
前記複数のフィルターより出射される前記各色の光を画像信号により変調する光変調手段と；
前記光変調手段で変調された前記各色の光が投射されるスクリーンと；
前記複数のフィルターから出射される前記各色の光の強度を検出する光検出手段と
を具備したことを特徴とするリアプロジェクタ装置。
【請求項２】
前記光検出手段は、前記光変調手段により前記スクリーンに全白の基準パターンを表示させた状態で、前記複数のフィルターから出射される前記各色の光の強度を検出し、
前記光検出手段より検出される前記各色の光強度の検出信号により前記スクリーンに表示される前記各色に対する明るさ及び色ずれの少なくとも一方を調整可能にしたことを特徴とする請求項１記載のリアプロジェクタ装置。
【請求項３】
前記光検出手段は、前記光変調手段と前記スクリーンとの間の光路上に挿脱可能に設けられることを特徴とする請求項２記載のリアプロジェクタ装置。
【請求項４】
前記複数のフィルターは、前記光源からの光が透過され白（Ｗ）の光を出射する白色フィルターを有し、前記光検出手段は、前記白（Ｗ）の光を出射する白色フィルターを透過する光の漏れ光の強度を検出し、
前記光検出手段より検出される検出信号により前記光源の光による前記スクリーンの画面の明るさを調整可能にしたことを特徴とする請求項１記載のリアプロジェクタ装置。
【請求項５】
前記光検出手段は、複数のフィルターと前記光変調手段との間の光路の側方に配置されることを特徴とする請求項４記載のリアプロジェクタ装置。
【請求項６】
前記複数のフィルターは、回転可能な円板状ホイールの円周方向に沿って配置され、前記光検出手段は、前記円板状ホイールの回転により前記白色フィルターからの透過光が前記光源からの光の光路上に位置したときの前記漏れ光を検出することを特徴とする請求項４記載のリアプロジェクタ装置。
【請求項７】
光源と；少なくとも赤（Ｒ）、緑（Ｇ）、青（Ｂ）の各色を有し、前記光源からの光が透過され、それぞれの色の光を順に出射する複数のフィルターと；前記複数のフィルターより出射される前記各色の光を画像信号により変調する光変調手段と；前記光変調手段で変調された前記各色の光が投射されるスクリーンと；前記光変調手段により前記スクリーンに投射される前記各色の光の強度を検出する光検出手段と；を具備したリアプロジェクタ装置を複数有するとともに、これら複数のリアプロジェクタ装置をマスター装置とスレーブ装置にそれぞれ設定したマルチディスプレイシステムであって、
前記マスター装置に設定されたリアプロジェクタ装置は、全てのリアプロジェクタ装置で検出された光検出手段の検出信号より各色の輝度情報を収集するとともに、これら収集された輝度情報より補正目標値を設定し、該補正目標値に基づいて全てのリアプロジェクタ装置において、それぞれ前記スクリーン画面上の各色ごとの明るさ及び色ずれの少なくとも一方を調整することを特徴とするマルチディスプレイシステム。
【請求項８】
前記マスター装置に設定されたリアプロジェクタ装置は、前記全てのリアプロジェクタ装置の光検出手段で検出される各色ごとの輝度情報の中で輝度値の最も低いものを補正目標値として設定することを特徴とする請求項７記載のマルチディスプレイシステム。
【請求項９】
前記マスター装置に設定されたリアプロジェクタ装置は、前記全てのリアプロジェクタ装置の光検出手段で検出される輝度情報の各色ごとの色ずれを判断し、該色ずれの最も大きなものを補正目標値として設定することを特徴とする請求項７記載のマルチディスプレイシステム。
【発明の詳細な説明】
【技術分野】
【０００１】
本発明は、背面投影型のリアプロジェクタ装置及びリアプロジェクタ装置を複数個組み合わせることで一つの大画面を構成するマルチディスプレイシステムに関する。
【背景技術】
【０００２】
最近、交通管制センターなどには、交通状況を表示するための大画面のモニターが用いられているが、このような大画面モニターには、複数個の背面投影型のリアプロジェクタ装置を組み合わせたマルチディスプレイシステムが用いられている。
【０００３】
リアプロジェクタ装置は、光源から出射される光をＲＧＢ（赤、緑、青）の透過型カラーフィルターに順に投射し、ＲＧＢ（赤、緑、青）の各色の光を得るとともに、これら各色の光をＤＭＤ（Digital Micromirror Device）を用いて画素単位でスクリーン上に反射させることでカラー画像を形成するようにしたもので、このようなリアプロジェクタ装置を複数個組み合わせて一つの大画面のマルチディスプレイシステムを構成するようにしている。
【０００４】
ところで、このようなリアプロジェクタ装置を複数個組み合わせて一つの大画面を構成する場合、各リアプロジェクタ装置に用いられる光源や光学部品の個体差から、各リアプロジェクタ装置で形成されるカラー画像の明るさや色が一致しないことがある。つまり、各リアプロジェクタ装置での光源の明るさやカラーフィルターなどの光学部品の透過率にバラツキがあると、リアプロジェクタ装置ごとの画面の明るさや色に違い(色ずれ)が生じることがあり、これらリアプロジェクタ装置により一つの画面を構成した場合、全体画像として非常に見ずらいものになるとい問題があった。
【０００５】
そこで、従来、特許文献１に開示されるように複数のディスプレイを組み合わせて一つの画面を構成した場合、各ディスプレイ画面をカメラで撮影し、このカメラより取込んだデータに基づいて各ディスプレイに対する映像信号の増幅率やガンマ補正を制御することにより、全てのディスプレイのホワイトバランス及びガンマ特性を一致させる方法が考えられている。
【特許文献１】特開平６−２１７３３６号公報
【発明の開示】
【発明が解決しようとする課題】
【０００６】
しかし、このような特許文献１の方法では、ディスプレイに表示される画面をカメラにより撮像しており、カメラより出力される測定データにはディスプレイの画面上の雑音などが多く含まれるため、精度のよいデータを得るのが難しく、各ディスプレイの画面調整を正確にできないという問題があった。
【０００７】
本発明は上記事情に鑑みてなされたもので、画面調整を精度よく行うことができるリアプロジェクタ装置及びマルチディスプレイシステムを提供することを目的とする。
【課題を解決するための手段】
【０００８】
請求項１記載の発明は、光源と；少なくとも赤（Ｒ）、緑（Ｇ）、青（Ｂ）の各色を有し、前記光源からの光が透過され、それぞれの色の光を順に出射する複数のフィルターと；前記複数のフィルターより出射される前記各色の光を画像信号により変調する光変調手段と；前記光変調手段で変調された前記各色の光が投射されるスクリーンと、前記複数のフィルターから出射される前記各色の光の強度を検出する光検出手段とを具備したことを特徴としている。
【０００９】
光検出手段は、前記光変調手段により前記スクリーンに全白の基準パターンを表示させた状態で、前記複数のフィルターから出射される前記各色の光の強度を検出するもので、この光検出手段より検出される前記各色の光強度の検出信号により前記スクリーンに表示される前記各色に対する明るさ及び色ずれの少なくとも一方を調整可能にしている。
【００１０】
前記光検出手段は、前記投射レンズとスクリーンとの間の光路上に挿脱可能に設けられることも特徴としている。
【００１１】
前記複数のフィルターに、光源からの光が透過され白（Ｗ）の光を出射する白色フィルターを有し、光検出手段により、前記白（Ｗ）の光を出射する白色フィルターを透過する光の漏れ光の強度を検出し、この検出信号により前記光源の光によるスクリーン画面の明るさを調整可能にしている。
【００１２】
前記光検出手段は、複数のフィルターと前記光変調手段との間の光路の側方に配置されることも特徴としている。
【００１３】
白色フィルターを加えた複数のフィルターは、回転可能な円板状ホイールの円周方向に沿って配置され、該円板状ホイールの回転により前記白色フィルターからの透過光が前記光源からの光の光路上に位置したとき光検出手段により漏れ光を検出することを特徴としている。
【００１４】
請求項７記載の発明は、光源と；少なくとも赤（Ｒ）、緑（Ｇ）、青（Ｂ）の各色を有し、前記光源からの光が透過され、それぞれの色の光を順に出射する複数のフィルターと；前記複数のフィルターより出射される前記各色の光を画像信号により変調する光変調手段と；前記光変調手段で変調された前記各色の光が投射されるスクリーンと；前記光変調手段により前記スクリーンに投射される前記各色の光の強度を検出する光検出手段と；  を具備したリアプロジェクタ装置を複数有するとともに、これら複数のリアプロジェクタ装置をマスター装置とスレーブ装置にそれぞれ設定したマルチディスプレイシステムであって、マスター装置に設定されたリアプロジェクタ装置は、全てのリアプロジェクタ装置で検出された光検出手段の検出信号より各色の輝度情報を収集するとともに、これら収集された輝度情報より補正目標値を設定し、該補正目標値に基づいて全てのリアプロジェクタ装置において、それぞれ前記スクリーン画面上の各色ごとの明るさ及び色ずれの少なくとも一方を調整することを特徴としている。
【００１５】
マスター装置に設定されたリアプロジェクタ装置は、全てのリアプロジェクタ装置の光検出手段で検出される各色ごとの輝度情報の中で輝度値の最も低いものを補正目標値として設定することを特徴としている。
【００１６】
マスター装置に設定されたリアプロジェクタ装置は、全てのリアプロジェクタ装置の光検出手段で検出される輝度情報の各色ごとの色ずれを判断し、該色ずれの最も大きなものを補正目標値として設定することを特徴としている。
【発明の効果】
【００１７】
本発明によれば、画面調整を精度よく行うことができるリアプロジェクタ装置及びマルチディスプレイシステムを提供できる。
【発明を実施するための最良の形態】
【００１８】
以下、本発明の実施の形態を図面に従い説明する。
【００１９】
（第１の実施の形態）
図１は、本発明の第１の実施の形態に係るリアプロジェクタ装置により構成されるマルチディスプレイシステムの概略構成を示している。この場合、マルチディスプレイシステムは、複数（図示例では４個）のリアプロジェクタ装置１００〜４００を組み合わせて２×２の大画面を有するマルチディスプレイシステムを構成している。
【００２０】
図２は、リアプロジェクタ装置の概略構成を示している。図２は、リアプロジェクタ装置１００について示している。図において、１は装置本体で、この装置本体１は、光源から出射される光を、順に赤、緑、青（ＲＧＢ）の各透過型カラーフィルター及び白（Ｗ）の透明フィルターを透過させ、各色の光を生成するとともに、これら光をＤＭＤにより画素単位で反射させ投射レンズ２より出射する。装置本体１の詳細は後述する。
【００２１】
投射レンズ２の出射光路には、反射ミラー３が配置され、この反射ミラー３の反射光路には、スクリーン４が配置されている。反射ミラー３は、投射レンズ２より出射した各色の光を反射し、スクリーン４に対し背面から投影することによりカラー画像を表示させる。
【００２２】
図３は、リアプロジェクタ装置１００の装置本体１の構成をさらに詳細に説明する図である。なお、図３は図２と同一部分には同符号を付している。
【００２３】
図３において、１１は光源で、この光源１１は、例えば超高圧水銀ランプなどのランプ１１ａと、このランプ１１ａからの光を所定方向に照射するための反射ミラー１１ｂを有している。
【００２４】
光源１１からの光の光路上には、円板状のカラーホイル１２が配置されている。このカラーホイル１２は、図４に示すように円周方向に沿って複数、ここでは、赤（Ｒ）の透過型カラーフィルター１２ａ、緑（Ｇ）の透過型カラーフィルター１２ｂ、白（Ｗ）の透明フィルター１２ｃ及び青（Ｂ）の透過型カラーフィルター１２ｄを配置した４セグメントのものが用いられる。また、カラーホイル１２は、中心部に回転軸１２ｅが設けられ、不図示の駆動モータにより回転軸１２ｅを介して一定の速度（例えば、７２００ｒｐｍ）で図示矢印方向に回転駆動される。つまり、カラーホイル１２は、回転することで、光源１１から出射される光を、赤（Ｒ）の透過型カラーフィルター１２ａ、緑（Ｇ）の透過型カラーフィルター１２ｂ、白（Ｗ）の透明フィルター１２ｃ及び青（Ｂ）の透過型カラーフィルター１２ｄの順で透過させる。
【００２５】
これら赤（Ｒ）の透過型カラーフィルター１２ａ、緑（Ｇ）の透過型カラーフィルター１２ｂ、白（Ｗ）の透明フィルター１２ｃ及び青（Ｂ）の透過型カラーフィルター１２ｄを透過した光路には、レンズ系１３、プリズム１４を介して光変調手段としてのＤＭＤ１５が配置されている。レンズ系１３及びプリズム１４は、赤（Ｒ）の透過型カラーフィルター１２ａ、緑（Ｇ）の透過型カラーフィルター１２ｂ、白（Ｗ）の透明フィルター１２ｃ及び青（Ｂ）の透過型カラーフィルター１２ｄを透過した赤（Ｒ）、緑（Ｇ）、白（Ｗ）、青（Ｂ）の各色の光をＤＭＤ１５に導く。ＤＭＤ１５は、これら赤（Ｒ）、緑（Ｇ）、白（Ｗ）、青（Ｂ）の各光を画像信号により変調するものである。この場合、ＤＭＤ１５は、シリコンウェハー上に微細なマイクロ反射ミラーを二次元的に配置したもので、各マイクロ反射ミラーは、１枚の画像を構成する画素に対応するとともに、１０μＳ程度の高速で偏向動作して入射光を２方向（オン／オフ）に反射し、このうちのオン方向の反射光により画像を表現する。
【００２６】
ＤＭＤ１５には、ＤＭＤ制御部１６が接続されている。このＤＭＤ制御部１６には、不図示の主装置より画像信号が入力され、この画像信号によりカラーホイル１２の赤（Ｒ）の透過型カラーフィルター１２ａ、緑（Ｇ）の透過型カラーフィルター１２ｂ、白（Ｗ）の透明フィルター１２ｃ及び青（Ｂ）の透過型カラーフィルター１２ｄを透過して導入される赤（Ｒ）、緑（Ｇ）、白（Ｗ）、青（Ｂ）の各光に対してＤＭＤ１５の各マイクロ反射ミラーでのオン方向の反射を制御する。また、ＤＭＤ制御部１６は、不図示の主装置より入力される補正信号により、例えばマイクロ反射ミラーでのオン方向の反射光を補正し光の明るさや色成分を調整する機能を有している。
【００２７】
ＤＭＤ１５のオン方向の反射光の光路には、投射レンズ２が配置されている。投射レンズ２は、ＤＭＤ１５のオン方向の反射光を拡大する。そして、投射レンズ２より拡大して出射される光を反射ミラー３で反射させ、スクリーン４背面に投影することで、スクリーン４上にカラー画像を表示させる。
【００２８】
ＤＭＤ１５とスクリーン４との間の光路上（図示例ではスクリーン４に近い反射ミラー３と投射レンズ２との間の光路）には、光検出手段として光センサー１７が挿脱可能に配置されている。この光センサー１７は、赤、緑、青、透明フィルタの４つのチャンネルを有し、これら赤、緑、青、透明フィルタの各チャンネルによりカラーホイル１２を透過して導入される赤（Ｒ）、緑（Ｇ）、白（Ｗ）、青（Ｂ）の光の強度を検出する。
【００２９】
また、光センサー１７は、図５に示すように駆動源のマイクロモータ１８の回転軸１８ａに連結されたアーム１９先端に設けられ、常時は図示破線位置にあり、カラーホイル１２を透過して導入される赤（Ｒ）、緑（Ｇ）、白（Ｗ）、青（Ｂ）の光の強度を検出する際に、マイクロモータ１８の駆動による回転軸１８ａの回転により図示実線位置に移動され反射ミラー３と投射レンズ２との間の光路上に位置される。この場合、投射レンズ２の前面に光センサー１７が位置された状態では、光センサー１７が動かないようにアーム１９は、不図示の固定機構により固定される。
【００３０】
なお、上述では、リアプロジェクタ装置１００について述べたが、他のリアプロジェクタ装置２００〜４００についても同様である。
【００３１】
次に、このように構成した実施の形態の作用を説明する。
【００３２】
まず、映像をスクリーン４に表示する通常の使用について説明する。この場合、光センサー１７は図５に示す破線位置に設定する。この状態で、光源１１より出射される光を、一定の速度で回転するカラーホイル１２の赤（Ｒ）の透過型カラーフィルター１２ａ、緑（Ｇ）の透過型カラーフィルター１２ｂ、白（Ｗ）の透明フィルター１２ｃ及び青（Ｂ）の透過型カラーフィルター１２ｄを順に透過させ、レンズ系１３、プリズム１４を介してＤＭＤ１５に入射する。また、ＤＭＤ制御部１６に不図示の主装置より画像信号を入力する。すると、この画像信号によりカラーホイル１２の赤（Ｒ）の透過型カラーフィルター１２ａ、緑（Ｇ）の透過型カラーフィルター１２ｂ、白（Ｗ）の透明フィルター１２ｃ及び青（Ｂ）の透過型カラーフィルター１２ｄを透過する赤（Ｒ）、緑（Ｇ）、白（Ｗ）、青（Ｂ）の光に対してＤＭＤ１５の各マイクロ反射ミラーでのオン方向の反射が制御される。そして、このＤＭＤ１５のオン方向の反射光は、投射レンズ２より拡大して出射され、反射ミラー３で反射され、スクリーン４にカラー画像が表示される。
【００３３】
次に、スクリーン４に表示される赤（Ｒ）、緑（Ｇ）、白（Ｗ）、青（Ｂ）の各光に対する明るさや色成分を調整する場合を説明する。この場合、マイクロモータ１８の駆動によりアーム１９を回転させ、光センサー１７を図５に示す実線位置、つまり投影レンズ２と反射ミラー３との間の光路上に位置させる。
【００３４】
この状態で、光源１１からの光を、一定の速度で回転するカラーホイル１２の赤（Ｒ）の透過型カラーフィルター１２ａ、緑（Ｇ）の透過型カラーフィルター１２ｂ、白（Ｗ）の透明フィルター１２ｃ及び青（Ｂ）の透過型カラーフィルター１２ｄを順に透過させ、赤（Ｒ）、緑（Ｇ）、白（Ｗ）、青（Ｂ）の各光をＤＭＤ１５に入射する。また、ＤＭＤ制御部１６に不図示の主装置より画像信号として基準信号を入力する。この場合、基準信号は、スクリーン４上に全白（白１００％）の基準パターンを表示させるものである。ＤＭＤ制御部１６は、このときの基準信号によりＤＭＤ１５の全てのマイクロ反射ミラーがオン方向の反射となるように制御し、カラーホイル１２を介して導入される赤（Ｒ）、緑（Ｇ）、白（Ｗ）、青（Ｂ）の各光の反射光を投射レンズ２より出射し、スクリーン４上に全白（白１００％）の基準パターンを表示させる。
【００３５】
この状態で、光センサー１７により投射レンズ２より出射される反射光からカラーホイル１２を透過して導入される赤（Ｒ）、緑（Ｇ）、白（Ｗ）、青（Ｂ）の光の強度を検出する。この場合、光センサー１７は、カラーホイル１２の回転に同期して導入される赤（Ｒ）、緑（Ｇ）、白（Ｗ）、青（Ｂ）の光の強度を、赤、緑、青、透明フィルタの各チャンネルにより検出する。光センサー１７の検出信号は、不図示の主装置に送られる。
【００３６】
主装置では、リアプロジェクタ装置１００〜４００の各光センサー１７からの赤（Ｒ）、緑（Ｇ）、白（Ｗ）、青（Ｂ）ごとの検出信号から、リアプロジェクタ装置１００〜４００間での赤（Ｒ）、緑（Ｇ）、白（Ｗ）、青（Ｂ）の各光の明るさや色のずれを判定し、この判定結果に応じた補正信号を生成して各リアプロジェクタ装置１００〜４００のＤＭＤ制御部１６に入力する。
【００３７】
これにより、各リアプロジェクタ装置１００〜４００は、ＤＭＤ制御部１６によりＤＭＤ１５のマイクロ反射ミラーでのオン方向の反射光が補正され、全てのリアプロジェクタ装置１００〜４００の各画面においてカラーホイル１２の赤（Ｒ）の透過型カラーフィルター１２ａ、緑（Ｇ）の透過型カラーフィルター１２ｂ、白（Ｗ）の透明フィルター１２ｃ及び青（Ｂ）の透過型カラーフィルター１２ｄを透過して導入されスクリーン４に表示される赤（Ｒ）、緑（Ｇ）、白（Ｗ）、青（Ｂ）の各光に対する明るさ及び色ずれ（色成分のずれ）が同じになるように調整される（この場合、明るさ及び色ずれ一方の調整でも可能である）。
【００３８】
したがって、このようにすれば、光センサー１７を、ＤＭＤ１５とスクリーン４との間の光路上に挿脱可能に配置し、ＤＭＤ１５の全てのマイクロ反射ミラーをオン方向の反射となるように制御してスクリーン４上に全白（白１００％）の基準パターンを表示させ、この状態で、光センサー１７によりカラーホイル１２を透過して導入される赤（Ｒ）、緑（Ｇ）、白（Ｗ）、青（Ｂ）の各光の強度を検出するようにした。これにより、光センサー１７は、ＤＭＤ１５のオン方向の反射光で、投射レンズ２より出射されスクリーン４に投射される光よりカラーホイル１２より導入される赤（Ｒ）、緑（Ｇ）、白（Ｗ）、青（Ｂ）の各光の強度を直接検出することができるので、雑音を含まない精度の良い検出信号を得ることができ、このような検出信号を用いることにより、スクリーン４に表示される赤（Ｒ）、緑（Ｇ）、白（Ｗ）、青（Ｂ）の各光の明るさ及び色ずれの調整を精度よく行うことができる。
【００３９】
また、光センサー１７での赤（Ｒ）、緑（Ｇ）、白（Ｗ）、青（Ｂ）の各光の強度検出は、画像が映し出されるスクリーン４に近い位置で行われるので、精度の高い検出結果を得ることができ、実際の使用状態に即した正確な明るさ及び色の調整を行うことができる。
【００４０】
（第２の実施の形態）
次に、本発明の第２の実施の形態を説明する。
【００４１】
図６は、本発明の第２の実施の形態にかかるリアプロジェクタ装置の概略構成を示すもので、図３と同一部分には同符号を付している。
【００４２】
この場合、カラーホイル１２とＤＭＤ１５との間の光路の側方（図示例ではカラーホイル１２とレンズ系１３との間の光路の側方）には、光検出手段として光センサー２０が配置されている。この光センサー２０は、光源１１から出射される光の漏れ光を検出するもので、カラーホイル１２を透過する光のうち、ＤＭＤ１５に導入される光（カラー画像作成に用いられる光）を遮ることのない位置、つまり、漏れ光を検出可能な位置に配置される。また、光センサー２０の分光応答特性は、カラーホイル１２の白（Ｗ）の透明フィルター１２ｃの透過光の波長域を含んでおり、例えば、カラーホイル１２の白（Ｗ）の透明フィルター１２ｃに同期して、該透明フィルター１２ｃを透過する白（Ｗ）の光の漏れ光の強度を検出する。つまり、光センサー２０は、カラーホイル１２の白（Ｗ）の透明フィルター１２ｃが光源１１からの光の光路上に位置したときの透明フィルター１２ｃを透過する白（Ｗ）の光の漏れ光の強度から光源１１のランプ１１ａの明るさを検出する。この場合、光センサー２０により透明フィルター１２ｃを透過する光の漏れ光のみを検出するには、例えば、カラーホイル１２に設定される不図示のインデックス（マーキング）を基準にして白（Ｗ）の透明フィルター１２ｃの位置情報を取得し、この位置情報に基づいて白（Ｗ）の透明フィルター１２ｃが光源１１からの光の光路上に位置したときの漏れ光を検出するようにすればよい。
【００４３】
この場合も、上述したようにＤＭＤ制御部１６に画像信号が入力されると、この画像信号によりＤＭＤ１５の各マイクロ反射ミラーのオン方向の反射が、カラーホイル１２より導入される赤（Ｒ）、緑（Ｇ）、白（Ｗ）、青（Ｂ）の光に対して制御されスクリーン４にカラー画像が表示される。
【００４４】
この状態から、光源１１のランプ１１ａの明るさを検出するには、一定速度で回転されるカラーホイル１２の白（Ｗ）の透明フィルター１２ｃが光源１１からの光の光路上に位置したとき、透明フィルター１２ｃを透過する白（Ｗ）の光の漏れ光の強度を光センサー２０で検出する。光センサー２０の検出信号は、不図示の主装置に送られる。
【００４５】
主装置では、リアプロジェクタ装置１００〜４００の各光センサー２０からの検出信号から、リアプロジェクタ装置１００〜４００間でのランプ１１ａの明るさのずれを判定し、この判定結果に応じた補正信号を生成して各リアプロジェクタ装置１００〜４００に入力する。これにより、各リアプロジェクタ装置１００〜４００では、入力される補正信号に応じて、例えば、ＤＭＤ制御部１６によりＤＭＤ１５のマイクロ反射ミラーでのオン方向の反射光が補正されて光源１１のランプ１１ａの光による明るさが調整され、全てのリアプロジェクタ装置１００〜４００のスクリーン４の画面が均一の明るさになるように調整される。この場合、光源１１のランプ１１ａの明るさを直接調整してもよい。
【００４６】
したがって、このようにすればカラーホイル１２の透明フィルター１２ｃと同期して該透明フィルター１２ｃを透過する白（Ｗ）の光の漏れ光の強度を光センサー２０により検出し、この検出信号に基づいて各リアプロジェクタ装置１００〜４００のランプ１１ａの光による明るさを調整するようにした。これにより、リアプロジェクタ装置１００〜４００のそれぞれの光源１１のランプ１１ａの明るさが経年劣化などでバラツキを生じても、これらのバラツキを解消するように全てのリアプロジェクタ装置１００〜４００のスクリーン４の画面の明るさが同じになるように調整することができる。
【００４７】
また、光センサー２０は、カラーホイル１２とＤＭＤ１５との間の光路の側方で、カラーホイル１２を透過する光のうち、ＤＭＤ１５に導入される光（カラー画像作成に用いられる光）を遮ることのない位置に配置するようにしたので、スクリーン４に映し出されるカラー画像に何らの影響を与えることなく、スクリーン４の画面の明るさを調整できる。これにより、実際に装置を使用している状態のままでも、各リアプロジェクタ装置１００〜４００のスクリーン画面の明るさを調整することができる。
【００４８】
なお、上述した第２の実施の形態では、カラーホイル１２の白（Ｗ）の透明フィルター１２ｃが光源１１からの光の光路上に位置したとき、透明フィルター１２ｃを透過する白（Ｗ）の光の漏れ光の強度を光センサー２０で検出するようにしたが、カラーホイル１２の他のフィルター、赤（Ｒ）の透過型カラーフィルター１２ａ、緑（Ｇ）の透過型カラーフィルター１２ｂ、青（Ｂ）の透過型カラーフィルター１２ｄを透過する赤（Ｒ）、緑（Ｇ）、青（Ｂ）の光の漏れ光についても、赤（Ｒ）の透過型カラーフィルター１２ａ、緑（Ｇ）の透過型カラーフィルター１２ｂ、青（Ｂ）の透過型カラーフィルター１２ｄがそれぞれが光源１１からの光の光路上に位置したとき、透過する光の漏れ光の強度を光センサー２０により検出することもできる。この場合も、赤（Ｒ）の透過型カラーフィルター１２ａ、緑（Ｇ）の透過型カラーフィルター１２ｂ、青（Ｂ）の透過型カラーフィルター１２ｄをそれぞれ透過する光の漏れ光のみを検出するには、カラーホイル１２に設定される不図示のインデックス（マーキング）を基準にして赤（Ｒ）の透過型カラーフィルター１２ａ、緑（Ｇ）の透過型カラーフィルター１２ｂ、青（Ｂ）の透過型カラーフィルター１２ｄのそれぞれの位置情報を取得し、この位置情報に基づいて赤（Ｒ）の透過型カラーフィルター１２ａ、緑（Ｇ）の透過型カラーフィルター１２ｂ、青（Ｂ）の透過型カラーフィルター１２ｄが、光源１１からの光の光路上に位置したときの漏れ光を光センサー２０により検出すればよい。
【００４９】
このようにすれば、赤（Ｒ）の透過型カラーフィルター１２ａ、緑（Ｇ）の透過型カラーフィルター１２ｂ、青（Ｂ）の透過型カラーフィルター１２ｄごとに検出された光センサー２０の検出信号と予め用意された基準値と比較することにより、赤（Ｒ）の透過型カラーフィルター１２ａ、緑（Ｇ）の透過型カラーフィルター１２ｂ、青（Ｂ）の透過型カラーフィルター１２ｄのそれぞれの状態劣化を各別に検出することができる。
【００５０】
さらに、上述した第２の実施の形態では、光センサー２０は、透明フィルター１２ｃを透過する白（Ｗ）の光の漏れ光を検出するようにしたが、光源１１のランプ１１ａからの光の漏れ光であれば透明フィルター１２ｃを透過する光でなくともよい。（第３の実施の形態）
次に、本発明の第３の実施の形態を説明する。
【００５１】
図７は、本発明の第３の実施の形態にかかるマルチディスプレイシステムの概略構成を示すもので、図３と同一部分には同符号を付している。
【００５２】
この場合、マルチディスプレイシステムは、４個のリアプロジェクタ装置１００〜４００を有し、このうちのリアプロジェクタ装置１００をマスター装置に設定し、この他のリアプロジェクタ装置２００〜４００をスレーブ装置に設定している。
【００５３】
リアプロジェクタ装置１００は、ＤＭＤ１５に、ＤＭＤ制御部１６が接続されている。このＤＭＤ制御部１６には、制御部２２を介して不図示の主装置より画像信号が入力され、この画像信号によりカラーホイル１２を透過して導入される赤（Ｒ）、緑（Ｇ）、白（Ｗ）、青（Ｂ）の各光に対してＤＭＤ１５の各マイクロ反射ミラーでのオン方向の反射を制御する。また、ＤＭＤ制御部１６は、制御部２２より入力される補正信号により、例えばマイクロ反射ミラーでのオン方向の反射光を補正し、スクリーン４に投射される光の明るさや色ずれを調整する機能を有している。
【００５４】
ＤＭＤ制御部１６には、制御部２２が接続されている。制御部２２には、光検出手段として光センサー１７が接続されている。この光センサー１７は、第１の実施の形態で述べたようなもので、ＤＭＤ１５とスクリーン４との間の光路上（図示例ではスクリーン４に近い反射ミラー３と投射レンズ２との間の光路）に挿脱可能に配置されている。この光センサー１７は、赤、緑、青、透明フィルターの４つのチャンネルのフィルターを有し、これら赤、緑、青、透明フィルターの各チャンネルのフィルターを通してカラーホイル１２より導入される赤（Ｒ）、緑（Ｇ）、白（Ｗ）、青（Ｂ）の各色の光を検出する。図８は、光センサー１７の分光応答特性例を示すもので、赤のフィルターの分光応答特性（センサ感度）３１は、カラーホイル１２の赤（Ｒ）の透過型カラーフィルター１２ａの透過光（放射強度）の波長域３２を含み、緑のフィルターの分光応答特性（センサ感度）３３は、カラーホイル１２の緑（Ｇ）の透過型カラーフィルター１２ｂの透過光（放射強度）の波長域３４を含み、青のフィルターの分光応答特性（センサ感度）３５は、カラーホイル１２の青（Ｂ）の透過型カラーフィルター１２ｃの透過光（放射強度）の波長域３６を含み、透明フィルターの分光応答特性（センサ感度）３７は、カラーホイル１２の赤（Ｒ）、緑（Ｇ）、青（Ｂ）の各透過型カラーフィルター１２ａ、１２ｂ、１２ｃの透過光（放射強度）の波長域３２、３４、３６を全て含むものである。また、光センサー１７は、図５で述べたように光路に対し挿脱可能になっている。
【００５５】
制御部２２は、不図示の主装置からの画像信号の取り込みを始め、上述した光センサー１７、カラーホイル１２、ＤＭＤ制御部１６及びマイクロモータ１８などを含め装置全体の制御を司るもので、輝度情報変換手段２２１、第１の補正目標設定手段２２２、第２の補正目標設定手段２２３、及び補正量生成手段２２４を有している。輝度情報変換手段２２１は、光センサー１７の赤、緑、青の各チャンネルより検出されるそれぞれの検出信号を、光の強さに応じた輝度情報に変換する。第１の補正目標設定手段２２２は、マスター装置（ここではプロジェクタ装置１００）に設定された場合に使用されるもので、マスター装置自身の光センサー１７の赤、緑、青の各チャンネルに対応する輝度情報と、スレーブ装置として設定された他のプロジェクタ装置（ここではプロジェクタ装置２００〜４００）から収集した各光センサー１７の赤、緑、青の各チャンネルに対応する輝度情報とを各色（ＲＧＢ）ごとに着目し、これら各色ごとに輝度情報の中で輝度値の最も低いものをそれぞれ第１の補正目標値として設定する。また、第２の補正目標設定手段２２３も、マスター装置（ここではプロジェクタ装置１００）に設定された場合に使用されるもので、マスター装置自身の赤、緑、青の各チャンネルに対応する輝度情報と、スレーブ装置として設定された他のプロジェクタ装置（ここではプロジェクタ装置２００〜４００）から収集した光センサー１７の赤、緑、青の各チャンネルに対応する輝度情報とを各色（ＲＧＢ）ごとに着目し、これら赤、緑、青の各色ごとに色成分の状態、つまり色ずれを判断し、この色ずれの最も大きなものを第２の補正目標値として設定する。この第２の補正目標設定手段２２３については、さらに後で述べる。補正量生成手段２２４は、マスター装置で設定された第１及び第２の補正目標値に基づいて各色ごとの輝度値の補正量及び色ずれの補正量を生成する。
【００５６】
上述では、リアプロジェクタ装置１００について述べたが、他のリアプロジェクタ装置２００〜４００についても同様に構成されている。この場合、リアプロジェクタ装置１００〜４００は、それぞれの制御部２２の間が通信回線２３により接続され、マスター装置とスレーブ装置の間で情報のやり取りを可能にしている。
【００５７】
次に、このように構成した実施の形態の作用を説明する。
【００５８】
まず、カラー画像をスクリーン４に表示する通常の使用について説明する。
【００５９】
この場合、光センサー１７は図５に示す破線位置に設定する。この状態で、光源１１より出射される光を、一定の速度で回転するカラーホイル１２の赤（Ｒ）の透過型カラーフィルター１２ａ、緑（Ｇ）の透過型カラーフィルター１２ｂ、白（Ｗ）の透明フィルター１２ｃ及び青（Ｂ）の透過型カラーフィルター１２ｄを順に透過させ、レンズ系１３、プリズム１４を介してＤＭＤ１５に入射する。また、ＤＭＤ制御部１６に制御部２２より画像信号を入力する。すると、この画像信号によりカラーホイル１２の赤（Ｒ）の透過型カラーフィルター１２ａ、緑（Ｇ）の透過型カラーフィルター１２ｂ、白（Ｗ）の透明フィルター１２ｃ及び青（Ｂ）の透過型カラーフィルター１２ｄを透過する赤（Ｒ）、緑（Ｇ）、白（Ｗ）、青（Ｂ）の光に対してＤＭＤ１５の各マイクロ反射ミラーでのオン方向の反射が制御される。そして、このＤＭＤ１５のオン方向の反射光は、投射レンズ２より拡大して出射され、反射ミラー３で反射され、スクリーン４にカラー画像が表示される。
【００６０】
次に、リアプロジェクタ装置１００〜４００のそれぞれのスクリーン４に表示されるカラー画面の各色（ＲＧＢ）ごとの明るさ及び色ずれを調整する場合を説明する。
【００６１】
この場合、全てのリアプロジェクタ装置１００〜４００について、マイクロモータ１８の駆動によりアーム１９を回転させ、光センサー１７を図５に示す実線位置、つまり投影レンズ２と反射ミラー３との間の光路上に位置させる。
【００６２】
この状態で、光源１１からの光を、一定の速度で回転するカラーホイル１２の赤（Ｒ）の透過型カラーフィルター１２ａ、緑（Ｇ）の透過型カラーフィルター１２ｂ、白（Ｗ）の透明フィルター１２ｃ及び青（Ｂ）の透過型カラーフィルター１２ｄを順に透過させ、赤（Ｒ）、緑（Ｇ）、白（Ｗ）、青（Ｂ）の各光をＤＭＤ１５に入射する。また、ＤＭＤ制御部１６に制御部２２を介して不図示の主装置より画像信号として基準信号を入力する。この場合、基準信号は、スクリーン４上に全白（白１００％）の基準パターンを表示させるものである。ＤＭＤ制御部１６は、このときの基準信号によりＤＭＤ１５の全てのマイクロ反射ミラーがオン方向の反射となるように制御し、カラーホイル１２を介して導入される赤（Ｒ）、緑（Ｇ）、白（Ｗ）、青（Ｂ）の各光の反射光を投射レンズ２より出射し、スクリーン４上に全白（白１００％）の基準パターンを表示させる。
【００６３】
この状態で、光センサー１７の赤、緑、青の各チャンネルにより投射レンズ２より出射されるカラーホイル１２を透過した赤（Ｒ）、緑（Ｇ）、白（Ｗ）、青（Ｂ）の各光を検出する。この光センサー１７の検出信号は、制御部２２の輝度情報変換手段２２１で輝度情報に変換する。ここまでの動作は、リアプロジェクタ装置１００〜４００全てについて同時に行う。そして、輝度情報変換手段２２１で変換した各色ごとの輝度情報を、スレーブ装置（プロジェクタ装置２００〜４００）より通信回線２３を介してマスター装置（プロジェクタ装置１００）の制御部２２に収集する。プロジェクタ装置１００のでは、第１の補正目標設定手段２２２によりマスター装置自身の光センサー２２の赤、緑、青の各チャンネルに対応する輝度情報と、スレーブ装置として設定された他のプロジェクタ装置（ここではプロジェクタ装置２００〜４００）から収集した光センサー１７の赤、緑、青の各チャンネルに対応する輝度情報とを各色（ＲＧＢ）ごとに着目し、これら各色ごとに輝度情報の中で輝度値の最も小さいものをそれぞれ第１の補正目標値として設定する。この第１の補正目標値は、プロジェクタ装置１００の制御部２２を始め、通信回線２３を介してスレーブ装置（プロジェクタ装置２００〜４００）の各制御部２２に返送される。これにより、プロジェクタ装置１００〜４００の制御部２２の補正量生成手段２２４では、マスター装置（プロジェクタ装置１００）からの第１の補正目標値と、各装置自身で検出した輝度情報とを比較してＲＧＢ各色ごとに輝度値の補正量を生成する。
【００６４】
これらＲＧＢ各色ごとの輝度値の補正量は、プロジェクタ装置１００〜４００ごとに異なるものである。そして、これらの補正量は、補正信号としてＤＭＤ制御部１６に入力される。これにより、リアプロジェクタ装置１００〜４００は、それぞれのＤＭＤ制御部１６によりＤＭＤ１５のマイクロ反射ミラーでのオン方向の反射光が補正され、投射レンズ２から出射されるＲＧＢ各色の光の明るさが調整され、全てのリアプロジェクタ装置１００〜４００の、スクリーン４の画面上でのＲＧＢ各色の明るさが同じになるように調整される。
【００６５】
一方、各スレーブ装置（プロジェクタ装置２００〜４００）より通信回線２３を介してマスター装置（プロジェクタ装置１００）の制御部２２に収集されたＲＧＢ各色の輝度情報は、第２の補正目標設定手段２２３に入力される。第２の補正目標設定手段２２３では、マスター装置自身の赤、緑、青の各チャンネルに対応する輝度情報と、スレーブ装置として設定された他のプロジェクタ装置（ここではプロジェクタ装置２００〜４００）から収集した光センサー１７の赤、緑、青の各チャンネルに対応する輝度情報を各色（ＲＧＢ）ごとに着目し、これら赤、緑、青の各色ごとに色ずれを判断し、色ずれの最も大きなものを第２の補正目標値として設定する。
【００６６】
ここで、色ずれの考え方について説明する。この場合、ＲＧＢの各色は、図９に示すようなＲ軸、Ｇ軸、Ｂ軸からなる直交座標系で表すことができる。この直交座標系では、例えば、赤（Ｒ）について述べると、色成分が赤のみの場合、Ｒ軸に沿った直線で表すことができるが、例えば、緑（Ｇ）、青（Ｂ）の成分が混在した色ずれを有する赤（Ｒ１）については、図示三角形（ｒ１、ｇ１、ｂ１）で表すことができる。ここで、（０−ｇ１）は緑（Ｇ）成分のずれ量、（０−ｂ１）は青（Ｂ）成分のずれ量を表している。なお、これら緑（Ｇ）、青（Ｂ）成分のずれ量は、光センサー２２の赤チャンネルで検出される赤色の光に対する検出信号とともに、光センサー２２の緑、青チャンネルでそれぞれ検出される緑、青の各光に対する検出信号より検出される。
【００６７】
同様に、他の色ずれを有する赤（Ｒ２）は、三角形（ｒ２、ｇ２、ｂ２）で表すことができる。ここでも、（０−ｇ２（＝ｇ１））が緑（Ｇ）成分のずれ量、（０−ｂ２）が青（Ｂ）成分のずれ量を表している。そして、これら（Ｒ１）（Ｒ２）を比べると、（Ｒ１）（Ｒ２）とも緑（Ｇ）成分のずれ量は同じであるが、青（Ｂ）成分のずれ量については異なり、（Ｒ２）は、（Ｒ１）よりずれ量が大きい。したがって、このときの色ずれの大きな（Ｒ２）のずれ量（ここでは青（Ｂ）成分のずれ量）を第２の補正目標値として設定する。ここでは赤について述べたが、他の緑、青についても同様にして色ずれの判断を行い、各色ごとに色ずれの最も大きなものを第２の補正目標値として設定する。
【００６８】
これら第２の補正目標値は、プロジェクタ装置１００の制御部２２を始め、通信回線２３を介してスレーブ装置（プロジェクタ装置２００〜４００）の各制御部２２に返送される。これにより、プロジェクタ装置１００〜４００の各制御部２２の補正量生成手段２２４では、マスター装置（プロジェクタ装置１００）からの第２の補正目標値と、各装置自身で検出した各色ごとに色ずれを比較してＲＧＢ各色ごとに色ずれの補正量を生成する。
【００６９】
これらＲＧＢ各色ごとの色ずれの補正量は、プロジェクタ装置１００〜４００ごとに異なるものである。そして、これらの補正量は、補正信号としてＤＭＤ制御部１６に入力される。これにより、リアプロジェクタ装置１００〜４００は、それぞれのＤＭＤ制御部１６によりＤＭＤ１５のマイクロ反射ミラーでのオン方向の反射光が補正され、投射レンズ２から出射されるＲＧＢ各色の色ずれが調整されることで、全てのリアプロジェクタ装置１００〜４００の、スクリーン４の画面上でのＲＧＢ各色の色ずれが同じになるように調整される。
【００７０】
したがって、このようにすれば、光センサー１７を、ＤＭＤ１５とスクリーン４との間の光路上に挿脱可能に配置し、この光センサー１７の赤、緑、青の各チャンネルによりカラーホイル１２を透過した赤（Ｒ）、緑（Ｇ）、白（Ｗ）、青（Ｂ）の各光を検出し、これらの検出信号に基づく各色ごとの輝度情報をリアプロジェクタ装置１００〜４００全てについて収集し、これら各色ごとの輝度情報の中で輝度値の最も低いものを第１の補正目標値として設定するとともに、これら第１の補正目標値に対し各プロジェクタ装置１００〜４００において輝度値の補正量を生成し、この補正量に基づいて各リアプロジェクタ装置１００〜４００の投射レンズ２から出射されるＲＧＢ各色の光の明るさを調整し、全てのリアプロジェクタ装置１００〜４００の、スクリーン４の画面上でのＲＧＢ各色の明るさが同じになるようにした。これにより、例えばカラーホイル１２の赤（Ｒ）の透過型カラーフィルター１２ａ、緑（Ｇ）の透過型カラーフィルター１２ｂ及び青（Ｂ）の透過型カラーフィルター１２ｄが経時変化などにより劣化し光の透過量にバラツキを生じ、リアプロジェクタ装置１００〜４００で形成されるスクリーン４上の画面の各色の明るさが一致しない状況が発生しても、この状況を速やかに解消し、リアプロジェクタ装置１００〜４００のスクリーン画面のＲＧＢ各色の明るさを精度よく調整することができる。
【００７１】
また、リアプロジェクタ装置１００〜４００から収集した光センサー１７の赤、緑、青の各チャンネルに対応する輝度情報から、赤、緑、青の各色ごとに色ずれを判断し、色ずれの最も大きなものを第２の補正目標値として設定するとともに、これら第２の補正目標値に対し各プロジェクタ装置１００〜４００において輝度値の補正量を生成し、この補正量に基づいて各リアプロジェクタ装置１００〜４００の投射レンズ２から出射されるＲＧＢ各色の色ずれを調整し、全てのリアプロジェクタ装置１００〜４００の、スクリーン４の画面上でのＲＧＢ各色の色ずれが同じになるようにした。これにより、経時変化などによりスクリーン４の画面上でＲＧＢ各色の色ずれが生じ、リアプロジェクタ装置１００〜４００で形成されるスクリーン４上の画面の各色の状態にバラツキが発生する状況になっても、リアプロジェクタ装置１００〜４００のスクリーン画面のＲＧＢ各色の色ずれを精度よく調整することができる。
【００７２】
さらに、光センサー１７により検出される輝度情報は、画像が映し出されるスクリーン４に近い位置で取得されるもので、スクリーン４に投影される画像に則した精度の高い情報として得ることができるので、各リアプロジェクタ装置１００〜４００での画面調整、つまり各リアプロジェクタ装置１００〜４００のスクリーン画面上の各色の明るさ及び色ずれの調整を精度よく行うことができる。
【００７３】
なお、本発明は、上記実施の形態に限定されるものでなく、実施段階では、その要旨を変更しない範囲で種々変形することが可能である。例えば、上述した実施の形態では、カラーホイル１２として赤（Ｒ）の透過型カラーフィルター１２ａ、緑（Ｇ）の透過型カラーフィルター１２ｂ、白（Ｗ）の透明フィルター１２ｃ及び青（Ｂ）の透過型カラーフィルター１２ｄを有する４セグメントのものについて述べたが、赤（Ｒ）の透過型カラーフィルター、緑（Ｇ）の透過型カラーフィルター及び青（Ｂ）の透過型カラーフィルターを有する３セグメントのもの、赤（Ｒ）の透過型カラーフィルター、緑（Ｇ）の透過型カラーフィルター、青（Ｂ）の透過型カラーフィルター、赤（Ｒ）の透過型カラーフィルター、緑（Ｇ）の透過型カラーフィルター、青（Ｂ）の透過型カラーフィルターを有する６セグメントのものにも適用することができる。
【００７４】
さらに、上記実施の形態には、種々の段階の発明が含まれており、開示されている複数の構成要件における適宜な組み合わせにより種々の発明が抽出できる。例えば、実施の形態に示されている全構成要件から幾つかの構成要件が削除されても、発明が解決しようとする課題の欄で述べた課題を解決でき、発明の効果の欄で述べられている効果が得られる場合には、この構成要件が削除された構成が発明として抽出できる。
【図面の簡単な説明】
【００７５】
【図１】本発明の第１の実施の形態に係るリアプロジェクタ装置により構成されるマルチディスプレイシステムの概略構成を示す図。
【図２】第１の実施の形態のリアプロジェクタ装置の概略構成を示す図。
【図３】第１の実施の形態のリアプロジェクタ装置の装置本体を詳細に説明する図。
【図４】第１の実施の形態に用いられるカラーホイルの概略構成を示す図。
【図５】第１の実施の形態に用いられるカラーセンサーの概略構成を示す図。
【図６】本発明の第２の実施の形態に係るリアプロジェクタ装置の装置本体を詳細に説明する図。
【図７】本発明の第３の実施の形態に係るマルチディスプレイシステムの概略構成を示す図。
【図８】第３の実施の形態に用いられる光センサーの分光応答特性を示す図。
【図９】第３の実施の形態に用いられる第２の補正目標設定手段を説明する図。
【符号の説明】
【００７６】
１００〜４００…リアプロジェクタ装置
１…装置本体、２…投射レンズ
３…反射ミラー、４…スクリーン
１１…光源、１２…カラーホイル
１２ａ．１２ｂ、１２ｄ…透過型カラーフィルター
１２ｃ…透明フィルター１２ｃ、１５…ＤＭＤ、
１６…ＤＭＤ制御部、１７…カラーセンサー
２０…光センサー、２２…制御部、
２２１…輝度情報変換手段、２２２…第１の補正目標設定手段、
２２３…第２の補正目標設定手段、２２４…補正量生成手段
２３…通信回線
【図１】
2009109962.tif 000003
【図２】
2009109962.tif 000004
【図３】
2009109962.tif 000005
【図４】
2009109962.tif 000006
【図５】
2009109962.tif 000007
【図６】
2009109962.tif 000008
【図７】
2009109962.tif 000009
【図８】
2009109962.tif 000010
【図９】
2009109962.tif 000011